(57)【要約】【課題】ＯＤ値の改善を通じて光漏洩不良を防止できる、樹脂ブラックマトリックスを適用した液晶表示装置を提供すること。【解決手段】薄膜トランジスタ及び画素電極が形成されたアレイ基板と、前記アレイ基板と対向配置され、樹脂ブラックマトリックス６２及びカラーフィルタが形成されたカラーフィルタ基板と、前記アレイ基板及び前記カラーフィルタ基板間に介在された液晶層と、前記アレイ基板及び前記カラーフィルタ基板の各々の外側面上に付着され、同じ方向の透過軸を有する下部偏光板６０及び上部偏光板６４と、を備え、樹脂ブラックマトリックス６２は、上部偏光板６４及び下部偏光板６０の透過軸と直交する方向の透過軸を有する偏光機能が与えられている。【選択図】図６
2007102165.tif 000002
【特許請求の範囲】
【請求項１】
薄膜トランジスタ及び画素電極が形成されたアレイ基板と、
樹脂ブラックマトリックス及びカラーフィルタが形成され、前記アレイ基板と対向配置されるカラーフィルタ基板と、
前記アレイ基板及び前記カラーフィルタ基板間に介在された液晶層と、
前記アレイ基板及び前記カラーフィルタ基板の各々の外側面上に付着され、同じ方向の透過軸を有する下部偏光板及び上部偏光板と、を備え、
前記樹脂ブラックマトリックスは、偏光機能を有し、前記上部偏光板及び前記下部偏光板の透過軸と交差する方向の透過軸を有することを特徴とする液晶表示装置。
【請求項２】
前記樹脂ブラックマトリックスは、開始剤、モノマー、バインダー、ソルベント、カーボンブラック、及び添加剤からなることを特徴とする請求項１に記載の液晶表示装置。
【請求項３】
前記樹脂ブラックマトリックスは、前記モノマー及び前記バインダーの構造中の、重合に加担する二重結合構造が、偏光された光に反応して形成された２＋２付加環化結合を有することを特徴とする請求項２に記載の液晶表示装置。
【請求項４】
前記樹脂ブラックマトリックスは、前記偏光された光に反応する前に、前記モノマー及び前記バインダーの構造中の、重合に加担する前記二重結合構造が、カルコン構造を有することを特徴とする請求項３に記載の液晶表示装置。
【請求項５】
前記樹脂ブラックマトリックスは、偏光された光を生成する偏光ラジカルが前記カルコン構造の端部と結合して形成された前記モノマー及び前記バインダーを塗布した後、偏光されたＵＶ光を前記カルコン構造に照射して前記カルコン構造中の前記二重結合のみを反応させて、前記偏光ラジカルを所定の方向性を有するように配列させて形成されることを特徴とする請求項４に記載の液晶表示装置。
【請求項６】
前記樹脂ブラックマトリックスは、透過軸が、前記下部偏光板及び前記上部偏光板の透過軸と直交するように配置されていることを特徴とする請求項１に記載の液晶表示装置。
【発明の詳細な説明】
【技術分野】
【０００１】
本発明は、液晶表示装置に関し、より詳しくは、ＯＤ（Optical Density、光学濃度）値の改善を通じて光漏洩を防止する、樹脂（Resin）ブラックマトリックスを適用した液晶表示装置に関する。
【背景技術】
【０００２】
液晶表示装置（Liquid Crystal Display）は軽量、薄型及び低消費電力などの特性を有することにより、ＣＲＴの代わりに各種情報機器の端末機またはビデオ機器などに使われている。特に、各画素毎にスイッチング素子として薄膜トランジスタが設けられる薄膜トランジスタ液晶表示装置はＣＲＴと同様な高画質の表示画面を有しながら大型化を実現したため、ノートブックＰＣ及びモニタ市場は勿論、ＴＶ市場でも脚光を浴びている。
【０００３】
このような液晶表示装置は、典型的なＴＮ（Twist Nematic）モードの場合、薄膜トランジスタ及び画素電極が形成されたアレイ基板と、ブラックマトリックス及びカラーフィルタが形成されたカラーフィルタ基板とが液晶層を介在して合着された構造を有する。
【０００４】
ここで、ブラックマトリックスは開口領域へ光を導入し、それ以外の領域への光漏洩を防止すると共に、互いに異なるカラーを有する隣接のカラーフィルタ同士間の混色を防止する役割を果たす部材である。
【０００５】
このようなブラックマトリックスの形成のために、従来ではガラス基板上にクロム膜を蒸着した後に公知のフォト及びエッチング工程を通じてクロム膜（不透明金属膜）をパターニングして形成する方法、あるいは、ガラス基板上に黒色の樹脂を塗布した後、これを露光及び現像して形成する方法などを利用していた。
【０００６】
これらの従来の方法の詳細を、従来のカラーフィルタ基板の断面図である図１及び図２を用いて説明する。なお、ここでは、図１は、クロムブラックマトリックスを適用して製作されたカラーフィルタ基板の構成を示す断面図であり、図２は、樹脂ブラックマトリックスを適用して製作されたカラーフィルタ基板の構成を示す断面図である。
【０００７】
図１及び図２に示すように、ガラス基板１上に画素領域を画定するように各々クロムブラックマトリックス２ａ及び樹脂ブラックマトリックス２ｂが形成されており、このクロムブラックマトリックス２ａ及び樹脂ブラックマトリックス２ｂにより画定された画素領域には、各々、レッドフィルタ３、グリーンフィルタ４及びブルーフィルタ５が形成されており、そして、ブラックマトリックス２ａ、２ｂ及びカラーフィルタ３、４、５が形成されたガラス基板１の全面上に表面の平坦化のためのオーバーコート膜６が形成されて、カラーフィルタ基板１０を構成している。
【０００８】
ここで、図１のようなクロムブラックマトリックス２ａは、光の遮断程度を示すＯＤ値が４以上と高いので、光の遮断性がよく、また、膜厚を１５００Å程度に薄くして、ある程度の表面の平坦化が達成できるので、オーバーコーティング膜６の形成を省略する技術を適用するのに有利である。
【０００９】
しかしながら、クロムブラックマトリックス２ａは反射率が高いので、このようなクロムブラックマトリックス２ａが適用された液晶表示装置の場合、外部光を反射し、画面に写り込みが発生するという問題がある。特に、クロム化合物の一部は有害物質であるので、その使用が規制されているのが現状である。従って、クロムブラックマトリックス２ａの利用は事実上困難であると予想されている。
【００１０】
これに対し、図２のような樹脂ブラックマトリックス２ｂは相対的にその取り扱いが容易であるだけでなく、環境汚染物質でないので、現在、クロムブラックマトリックスの代替物として使われており、その利用が次第に拡大している。
【００１１】
しかしながら、樹脂ブラックマトリックス２ｂはＯＤ値がクロムブラックマトリックス２ａのそれに比べて非常に低いので、厚さを１μｍ以上に形成しなければならないところ、工程上の問題が生じ、また、１μｍ程度の厚さに形成しても３.０〜３.５のＯＤ値しか有しないので、依然として光漏洩の問題を有する。
【００１２】
一方、樹脂ブラックマトリックス２ｂの膜厚を一層厚くすることによりＯＤ値をさらに増大させることも可能である。しかしながら、樹脂ブラックマトリックスの適用のために膜厚を増大する方法は、そのＯＤ値の増大には有用であっても、図３に示すように、樹脂ブラックマトリックス２ｂの高さが高くなるに伴い、表面段差も増大することになり、このように増大した段差が図４に破線で示された領域Ａ、即ち、各樹脂ブラックマトリックスの上方の、ラビング方向の下流側の部分でラビング不良を引き起こすことになる。
【００１３】
即ち、図４の領域Ａの断面図である図５に示すように、樹脂ブラックマトリックス２ｂの厚さが大きくなるにつれて表面段差も増大するため、段差部の真上部分、即ち、各画素の一側でラビング不良が生じる。
【００１４】
このようにラビング不良が生じれば、液晶の配列の不良が生じ、その結果、光漏洩が生じて液晶表示装置の画面品質を低下させてしまう。
【発明の開示】
【発明が解決しようとする課題】
【００１５】
したがって、本発明は、上記のような従来の諸問題を解決するために案出されたものであって、配向不良の発生を防止することができる、樹脂ブラックマトリックスを適用した液晶表示装置を提供することをその目的とする。
【００１６】
また、本発明は、樹脂ブラックマトリックスのＯＤ値を改善することを通じて光漏洩を防止することができる、樹脂ブラックマトリックスを適用した液晶表示装置を提供することをも目的とする。
【００１７】
さらに、本発明は、光漏洩不良を防止することによって、画面品質を向上させることができる、樹脂ブラックマトリックスを適用した液晶表示装置を提供することをも目的とする。
【課題を解決するための手段】
【００１８】
上記のような課題を解決するために、本発明は、薄膜トランジスタ及び画素電極が形成されたアレイ基板と、樹脂ブラックマトリックス及びカラーフィルタが形成され、前記アレイ基板と対向配置されたカラーフィルタ基板と、前記アレイ基板及び前記カラーフィルタ基板間に介在された液晶層と、前記アレイ基板及び前記カラーフィルタ基板の各々の外側面上に付着され、同じ方向の透過軸を有する下部偏光板及び上部偏光板と、を備え、前記樹脂ブラックマトリックスは、偏光機能を有し、前記上部偏光板及び前記下部偏光板の透過軸と交差する方向の透過軸を有することを特徴とする液晶表示装置を提供する。
【００１９】
ここで、前記樹脂ブラックマトリックスは、開始剤、モノマー、バインダー、ソルベント、カーボンブラック、及び添加剤からなることができる。
【００２０】
前記樹脂ブラックマトリックスは、前記モノマー及び前記バインダーの構造中の、重合に加担する二重結合構造が、好ましくは、カルコン構造を有し、そして、偏光された光に反応して形成された２＋２付加環化結合を有することができる。
【００２１】
また、前記樹脂ブラックマトリックスは、偏光された光を生成する偏光ラジカルが前記カルコン構造の端部と結合して形成された前記モノマー及び前記バインダーを塗布した後、偏光されたＵＶ光を前記カルコン構造に照射して前記カルコン構造中の前記二重結合のみを反応させて、前記偏光ラジカルを所定の方向性を有するように配列させて形成されることができる。
【００２２】
前記樹脂ブラックマトリックスは、透過軸が、前記下部偏光板及び前記上部偏光板の透過軸と直交するように配置されることができる。
【発明の効果】
【００２３】
本発明に係る液晶表示装置は、樹脂ブラックマトリックスを適用するものの、樹脂ブラックマトリックスに偏光機能を与えることにしたので、高いＯＤ値を有することができ、これによって、液晶表示装置の画面品質を向上させることができる。
【００２４】
また、本発明に係る液晶表示装置は、樹脂ブラックマトリックスに偏光機能を与えることにより、樹脂ブラックマトリックスを薄く形成しても、高いＯＤ値を有することができる。
【００２５】
さらに、本発明に係る液晶表示装置は、樹脂ブラックマトリックスの厚さを薄く形成することによって、表面段差を低減することができ、その結果、オーバーコート膜の形成を省略することが可能になり、また後続工程、特に、ラビング工程の安定化が得られて、製造歩留まり及び生産性を向上させることができる。
【発明を実施するための最良の形態】
【００２６】
以下、添付の図面を参照しつつ本発明の好ましい実施形態を詳細に説明する。
【００２７】
本発明の好ましい実施の形態に係る液晶表示装置は、薄膜トランジスタ及び画素電極が形成されたアレイ基板、樹脂ブラックマトリックス及びカラーフィルタが形成され、上記アレイ基板と対向配置されたカラーフィルタ基板、上記アレイ基板及びカラーフィルタ基板間に介在された液晶層、並びに上記アレイ基板及びカラーフィルタ基板の各々の外側面上に付着され、同じ方向の透過軸を有する下部偏光板及び上部偏光板を備える。
【００２８】
上記のような構造を有する本実施の形態に係る液晶表示装置において、樹脂ブラックマトリックスは偏光機能を与えられているため、その厚さが増大することなくＯＤ値が増大することができ、これにより画面の品質を改善させることができる。
【００２９】
図６は、本発明の実施の形態に係るノーマリーブラック（Normally Black）モード液晶表示装置における光の偏光方向を説明する斜視図であって、以下、図６を用いて、本発明をより詳細に説明する。
【００３０】
図６に示すように、ノーマリーブラックモード液晶表示装置の上部及び下部偏光板６４、６０は、各々の透過軸方向が同じである。従って、電圧を印加しない場合、液晶層（図示せず）によって光の位相が９０゜シフトされるので、下部偏光板６０により直線偏光された光は上部偏光板６４によって遮断されて上部偏光板６４を透過できなくなる。一方、電圧を印加した場合、下部偏光板６０により直線偏光された光はその位相が変化することなく、上部偏光板６４に到達し、そして上部偏光板６４によって遮断されずに上部偏光板６４を透過することになる。
【００３１】
ところが、このようなノーマリーブラックモードにおいて、ブラックマトリックス部分、即ち、ゲートライン及びデータラインが配列される部分での液晶は、画素部分での液晶と印加電圧が異なるので、下部偏光板６０を通過して偏光された光は液晶層を通過すると位相差が発生し、その結果、円偏光または楕円偏光を引き起こしてしまう。このように引き起こされた円偏光または楕円偏光の光は、低いＯＤ値を有する樹脂ブラックマトリックスを経て上部偏光板６４に到達し、上部偏光板６４によって完全には遮断できずに一部が透過するため、光漏洩の現象が発生する。
【００３２】
一方、上述のように、樹脂ブラックマトリックス６２が偏光機能を有するようにすれば、即ち、図６に示すように樹脂ブラックマトリックス６２が上部及び下部偏光板と交差する（直交することがより望ましい）透過軸を有するようにすれば、円偏光または楕円偏光された光が樹脂ブラックマトリックス６２を通過しても、通過した光は、樹脂ブラックマトリックス６２の透過軸方向、即ち上部偏光板６４の透過軸方向と交差する方向に直線偏光されているので、結局、上部偏光板６４に到達しても上部偏光板６４を透過できなくて遮断される。
【００３３】
したがって、本発明に係る樹脂ブラックマトリックス６２は、上部及び下部偏光板６４、６０の透過軸と交差（より望ましくは直交）する透過軸を有し、偏光機能を備えるように構成され、これによって、樹脂ブラックマトリックス６２のＯＤ値を高める。よって、本発明では、偏光機能を有する樹脂ブラックマトリックス６２を用いて光漏洩の不良の発生を効果的に防ぐことができる。
【００３４】
特に、上記のような構成は、電圧印加による液晶の動きがない外郭ブラックマトリックスの部分で３枚の偏光板、即ち、下部偏光板６０、ブラックマトリックス６２、及び上部偏光板６４が順に交差する透過軸を有する形態になるので、ブラックマトリックス自体のＯＤ値よりも高いＯＤ値を提供することができる。
【００３５】
下記の表１は、典型的な偏光板を用いて測定したＯＤ値を示す。ここでは、測定装置はGRETAG D200-II Transmission Densitometerであり、表中の矢印は各偏光板の透過軸方向を示す。
【００３６】
【表１】
2007102165.tif 000003
上記表１から分かるように、隣接する偏光板の透過軸が互いに交差する場合にＯＤ値の増加率が大きくなる。即ち、本発明のように、樹脂ブラックマトリックスに上部及び下部偏光板の透過軸と直交する透過軸を有する偏光機能を与える場合、たとえ、樹脂ブラックマトリックスが薄く形成されて樹脂ブラックマトリックス自体のＯＤ値が減少しても樹脂ブラックマトリックスが偏光板の役割をすることにより、全体的な画面品質から見れば、むしろ液晶表示装置が高いＯＤ値を有することになる。
【００３７】
また、このように樹脂ブラックマトリックスの厚さを薄くすれば、ガラス基板の表面段差も低くなるので、ラビング不良等の欠陥発生も防止できることになる。
【００３８】
一方、上述のような本発明に係る偏光機能を有する樹脂ブラックマトリックスは、重合を開始する開始剤、パターンの硬度及び物性を決定するモノマー、展開−溶解度に関連するバインダー、塗布性を決定するソルベント、光をフィルタリングする顔料であるカーボンブラック、並びに、接着力及びその他の性質に関連する添加剤から構成される。
【００３９】
特に、本発明に係る樹脂ブラックマトリックスは、形成途中において、モノマーとバインダーの構造中の、重合に加担する二重結合構造が、偏光された光に反応して２＋２付加環化（cycloaddition）結合をするようにカルコン（chalcone）のような構造で構成される。
【００４０】
図７及び図８はそれぞれ、本発明に係る樹脂ブラックマトリックスに偏光機能を付与するメカニズムを説明するための化学構造式、及びそれに対応する概念的な斜視図である。
【００４１】
図７及び図８に示すように、形成途中の樹脂ブラックマトリックスにおいては、偏光された光を生成する偏光ラジカル（polarization radical）がカルコン構造の端部に結合している。このような構造を有するモノマー及びバインダーを塗布した後、偏光されたＵＶ光をカルコン構造に照射して、その偏光方向と一致するカルコン構造中の二重結合を活性化させてラジカルを生成させる。このように生成されたカルコン構造のラジカル２つが互いに反応して、所定の方向性を有する結合をすることになる。
【００４２】
図８に示すように、本発明に係る樹脂ブラックマトリックスへＵＶ照射するとき、露光器７４によって生成された偏光ＵＶの偏光方向と同じ方向にあるカルコンの二重結合７０のみが反応に参加し、これによって、偏光された光に応じた方向性を有する２＋２付加環化結合７２が得られる。
【００４３】
以上では、例示のために本発明の特定の実施形態を説明したが、本発明は上記で説明した実施の形態に限定されず、本発明が属する技術分野において通常の知識を有する者であれば特許請求の範囲により定められる本発明の技術的思想と分野から逸脱することなく、多様に改造及び変形できることは言うまでもない。
【図面の簡単な説明】
【００４４】
【図１】従来のクロムブラックマトリックスが適用されたカラーフィルタ基板の構成を示す断面図である。
【図２】従来の樹脂ブラックマトリックスが適用されたカラーフィルタ基板の構成を示す断面図である。
【図３】従来の樹脂ブラックマトリックスが適用されたカラーフィルタ基板の問題点を説明する断面図である。
【図４】従来の樹脂ブラックマトリックスが適用されたカラーフィルタ基板の問題点を説明する平面図である。
【図５】従来の樹脂ブラックマトリックスが適用されたカラーフィルタ基板の問題点を説明する断面図である。
【図６】本発明の実施の形態に係るノーマリーブラックモード液晶表示装置での光の偏光方向を説明する斜視図である。
【図７】本発明に係る樹脂ブラックマトリックスに偏光機能を付与するメカニズムを説明する化学構造式である。
【図８】図７に対応する概念的な斜視図である。
【符号の説明】
【００４５】
１  ガラス基板
２ａ  クロムブラックマトリックス
２ｂ  樹脂ブラックマトリックス
３  レッドフィルタ
４  グリーンフィルタ
５  ブルーフィルタ
６  オーバーコート膜
６０    下部偏光板
６２    樹脂ブラックマトリックス
６４    上部偏光板
７０    カルコンの二重結合
７２    ２＋２付加環化結合
７４    偏光を生成する露光器
【図１】
2007102165.tif 000004
【図２】
2007102165.tif 000005
【図３】
2007102165.tif 000006
【図４】
2007102165.tif 000007
【図５】
2007102165.tif 000008
【図６】
2007102165.tif 000009
【図７】
2007102165.tif 000010
【図８】
2007102165.tif 000011